(57)【特許請求の範囲】
【請求項１】
枠体と、この枠体に取り付けられ、風呂水に浮いたごみを掬うための捕集網とを備えた風呂用ごみ取り具であって、前記捕集網が、風呂水に接触して風呂水に含まれている塩素を低減させる金属製の塩素低減材で形成されていることを特徴とする風呂用ごみ取り具。
【請求項２】
前記枠体には浮上性を備えた把持部が設けられていることを特徴とする請求項１記載の風呂用ごみ取り具。
【発明の詳細な説明】
【０００１】
【発明の属する技術分野】
本発明は風呂水に浮かんでいるごみ、垢、髪の毛などを掬うことのできる風呂用ごみ取り具に関する。より詳しくは、風呂水に含まれている塩素を低減させる機能を備えた風呂用ごみ取り具に関するものである。
【０００２】
【従来の技術】
従来の風呂用ごみ取り具としては、例えば、図６に示すように、把持部１と一体的に形成された丸形の枠体２に、袋状のネット３が取り付けられたものが知られている。ネット３は、吸水性の無い材料、例えば、化繊等で形成されている。
【０００３】
【発明が解決しようとする課題】
風呂水に用いられる水道水には塩素が残留しており、これが入浴時における手荒れ、肌荒れなどの原因となっている。
したがって、風呂水に含まれている塩素を低減させることができれば、入浴時における手荒れ、肌荒れなどを防止することが可能となる。
本発明の目的は、上記課題を解決し、風呂用ごみ取り具を利用して、入浴時における手荒れ、肌荒れなどを防止することにある。
【０００４】
【課題を解決するための手段】
上記目的を達成するために請求項１記載の風呂用ごみ取り具は、枠体と、この枠体に取り付けられ、風呂水に浮いたごみを掬うための捕集網とを備えた風呂用ごみ取り具であって、前記捕集網が、風呂水に接触して風呂水に含まれている塩素を低減させる金属製の塩素低減材で形成されていることを特徴とする。
請求項２記載の風呂用ごみ取り具は、請求項１記載の風呂用ごみ取り具において、前記枠体には浮上性を備えた把持部が設けられていることを特徴とする。
【０００５】
【作用効果】
請求項１記載の風呂用ごみ取り具によれば、枠体と、この枠体に取り付けられ、風呂水に浮いたごみを掬うための捕集網とを備えているので、風呂水にごみなどが浮いている場合には、これを捕集網で掬うことができる。
捕集網は、風呂水に接触して風呂水に含まれている塩素を低減させる金属製の塩素低減材で形成されているので、例えば、ごみ取り具を、その捕集網が風呂水に浸かるように浴槽内に入れておくことで、風呂水に含まれている塩素が低減されることとなる。
したがって、入浴時の手荒れ、肌荒れなどを防止することができる。
【０００６】
すなわち、この風呂用ごみ取り具によれば、風呂水に浮かんでいるごみを掬うことができるとともに、ごみ取り具として使用しないときには、浴槽内にごみ取り具を入れて、捕集網が風呂水に浸かる状態にしておくことにより、入浴時の手荒れ、肌荒れなどの原因となる残留塩素を低減させることができるという効果が得られる。
【０００７】
なお、注水時に風呂用ごみ取り具を浴槽内に入れておけば、注水時の水流で水が撹半されて、水が捕集網に効率よく接触することとなり、風呂水に含まれている塩素がより効率よく低減されることとなる。
【０００８】
さらに、このごみ取り具によれば、捕集網が金属製の塩素低減材で形成されているので、不使用時に、ごみ取り具を浴室内の壁面等に掛けておいても、その金属の有する抗菌作用により、捕集網にかびなどが発生するおそれがなくなるという効果も得られる。すなわち、従来のごみ取り具では、その捕集網が化繊で形成されていたので、浴室の湿気や網に付着した汚れなどが原因となって、かびが発生しやすくなり、不衛生であった。これに対し、この風呂用ごみ取り具によれば、捕集網が金属製の塩素低減材で形成されているので、不使用時に浴室内の壁面等に掛けておいても、かびが捕集網に発生するということがなくなり、いつも衛生的な状態で使用することができるようになる。
請求項２記載の風呂用ごみ取り具によれば、請求項１記載の風呂用ごみ取り具において、枠体には浮上性を備えた把持部が設けられているので、浴槽内にごみ取り具を入れておいても、ごみ取り具が浴槽の底に沈まなくなり、把持部を上にした状態で水面近くに浮かぶようになる。
これにより、ごみ取り具として使用する際に把持部が掴みやすくなる。また、ごみ取り具が水面近くを浮遊することとなるので、このような浮上性を備えていない場合と比べて、捕集網に水が通りやすくなり、風呂水の塩素がより低減されやすくなるという効果が得られる。
なお、仮に、ごみ取り具が浮上性を有していないとすると、ごみ取り具が浴槽の底に沈んでしまうため、子供が浴槽の底にあるごみ取り具を取ろうとして誤って浴槽へ落ちるという危険性がある。これに対して、このごみ取り具によれば、把持部が浮上性を備えているので、ごみ取り具が水面近くに浮かぶようになり、このような危険性もなくなる。
【０００９】
【発明の実施の形態】
以下、本発明の実施の形態について図面を参照して説明する。
図１は本発明に係る風呂用ごみ取り具の一実施の形態を示す図であり、（ａ）は平面図、（ｂ）は図（ａ）のｂ−ｂ断面図、（ｃ）は同じくｃ−ｃ断面図、（ｄ）は同じくｄ−ｄ断面図、（ｅ）は同じくｅ−ｅ拡大断面図である。図２は捕集網の固定用リングを示す図であり、（ａ）は平面図、（ｂ）は図（ａ）のｂ−ｂ断面図である。図３は捕集網を示す図であり、（ａ）は平面図、（ｂ）は図（ａ）のｂ−ｂ線矢視図である。
【００１０】
図１に示すように、本実施の形態の風呂用ごみ取り具は、枠体１０と、この枠体１０に一体的に設けられた把持部１１と、枠体１０に取り付けられた捕集網２０と、この捕集網２０を固定するための固定用リング３０とを備えている。
【００１１】
図１（ａ）（ｂ）（ｅ）に示すように、枠体１０には、その周縁に沿って溝部１０ａが形成されている。この溝部１０ａに、捕集網２０の周縁部２０ａが嵌入され、この周縁部２０ａを介して固定用リング３０が圧入されることにより捕集網２０が枠体１０に取り付けられている。
【００１２】
把持部１１は、枠体１０と一体的に形成されたグリップ１２と、このグリップ１２に設けられた浮き体１３とを備えている。浮き体１３は、グリップ１２の中央部１２ａに形成された間隙１２ｂに圧入されてグリップ１２に取り付けられている。浮き体１３は、浮上性に優れ、水を吸わない部材（例えば発泡ポリエチレン）により形成されている。
グリップ１２の端部近傍１２ｃには、図示しない壁面等のフックへごみ取り具を引っ掛けるための孔１２ｄが形成されている。
【００１３】
捕集網２０は、金属性の塩素低減材で形成されており、風呂水に接触して金属イオンを発生し、この金属イオンの作用で、風呂水に含まれている塩素を低減させる機能を備えている。本実施の形態の捕集網２０は、銅製の網で構成してある。捕集網２０は、水は通すが風呂水に浮いた垢や髪の毛等のごみは通さない程度の細かい網目状となっており、図３（ｂ）に示すように、その縁部２０ａが上述した枠体１０の溝部１０ａに若干の弾力をもって嵌入されるように湾曲状に折り曲げられている。
なお、捕集網２０は、上述した銅製のものの他に、例えば、銀、金製等のものも採用し得る。
【００１４】
固定用リング３０は、図２に示すように、リング部分の断面が丸形に形成されており、上述したように、捕集網２０の周縁部２０ａを介して枠体１０の溝部１０ａに圧入されるようになっている。固定用リング３０の一端側３０ａには、リング３０を枠体１０から取り外す際の指掛け３１が設けられている。
【００１５】
以上のような風呂用ごみ取り具によれば次のような作用効果が得られる。
この風呂用ごみ取り具は、枠体１０と、この枠体１０に取り付けられ、風呂水に浮いたごみを掬うための捕集網２０とを備えているので、風呂水にごみなどが浮いている場合には、これを捕集網２０で掬うことができる。
捕集網２０は、風呂水に接触して風呂水に含まれている塩素を低減する金属製の塩素低減材で形成されているので、例えば、ごみ取り具を、その捕集網２０が風呂水に浸かるように浴槽内に入れておくことで、風呂水に含まれている塩素が低減されることとなる。本実施の形態の場合、風呂水が金属製の捕集網２０と接触することで発生する金属イオン（例えば銅イオン）の作用で、風呂水に含まれている塩素が低減されることとなる。
したがって、入浴時の手荒れ、肌荒れなどを防止することができる。
すなわち、この風呂用ごみ取り具によれば、風呂水に浮かんでいるごみを掬うことができるとともに、ごみ取り具として使用しないときには、浴槽内にごみ取り具を入れて、風呂水に捕集網２０が浸かるようにしておくことにより、入浴時の手荒れ、肌荒れなどの原因となる残留塩素を低減させることができるという効果が得られる。
なお、注水時に風呂用ごみ取り具を浴槽内に入れておけば、注水時の水流で水が撹半されて、水が捕集網２０に効率よく接触することとなり、風呂水に含まれている塩素がより効率よく低減されることとなる。
【００１６】
さらに、この風呂用ごみ取り具によれば、捕集網２０が金属製の塩素低減材で形成されているので、不使用時に、ごみ取り具を浴室内の壁面等に掛けておいても、その金属の有する抗菌作用により、捕集網２０にかびなどが発生するおそれがなくなるという効果も得られる。すなわち、従来のごみ取り具では、捕集網が化繊で形成されていたので、浴室の湿気や網に付着した汚れなどが原因となって、かびが発生しやすくなり、不衛生であった。これに対し、本実施の形態の風呂用ごみ取り具によれば、捕集網２０が金属製の塩素低減材で形成されているので、不使用時に浴室内の壁面等に掛けておいても、かびが捕集網２０に発生するということがなくなり、いつも衛生的な状態で使用することができるようになる。
【００１７】
枠体１０には浮上性を備えた把持部１１が設けられているので、浴槽内にごみ取り具を入れておいても、ごみ取り具が浴槽の底に沈まなくなり、図５に示すように、把持部１１を上にした状態で水面Ｗ１近くに浮かぶようになる。
これにより、ごみ取り具として使用する際に把持部１１が掴みやすくなる。また、ごみ取り具が水面Ｗ１近くを浮遊することとなるので、このような浮上性を備えていない場合と比べて、捕集網２０に水が通りやすくなり、風呂水の塩素がより低減されやすくなるという効果が得られる。
なお、仮に、ごみ取り具が浮上性を有していないとすると、ごみ取り具が浴槽の底に沈んでしまうこととなるため、子供が浴槽の底にあるごみ取り具を取ろうとして誤って浴槽へ落ちるという危険性がある。これに対して、本実施の形態のごみ取り具によれば、把持部１１が浮上性を備えているので、ごみ取り具が浴槽の水面Ｗ１近くに浮かぶようになり、このような危険性もなくなる。
【００１８】
なお、捕集網２０の交換は、つまみ３１を引っ張って、固定用リング３０を枠体１０から取り外すことにより簡単に行なうことができる。これにより、枠体１０、把持部１１などを再使用することができ、省資源化を図ることができる。
【００１９】
以上、本発明の実施例について説明したが、本発明は上記実施例に限定されるものではなく、本発明の要旨の範囲内において適宜変形実施可能である。
例えば、枠体や浮き体の形状は任意のものを採用し得る。
また、把持部自体を密閉された筒状に構成して、把持部自体を浮き体として構成してもよい。
【００２０】
【図面の簡単な説明】
【図１】本発明に係る風呂用ごみ取り具の一実施の形態を示す図であり、（ａ）は平面図、（ｂ）は図（ａ）のｂ−ｂ断面図、（ｃ）は同じくｃ−ｃ断面図、（ｄ）は同じくｄ−ｄ断面図、（ｅ）は同じくｅ−ｅ拡大断面図。
【図２】捕集網の固定用リングを示す図であり、（ａ）は平面図、（ｂ）は図（ａ）のｂ−ｂ断面図。
【図３】捕集網を示す図であり、（ａ）は平面図、（ｂ）は図（ａ）のｂ−ｂ線矢視図。
【図４】（ａ）は浮き体の平面図、（ｂ）は同じく正面図。
【図５】使用状態説明図。
【図６】従来技術の説明図。
【符号の説明】
１０          枠体
１１          把持部
１３          浮き体
２０          捕集網
３０          リング
Ｙ            浴槽
【図１】
0004266448.tif 000002
【図２】
0004266448.tif 000003
【図３】
0004266448.tif 000004
【図４】
0004266448.tif 000005
【図５】
0004266448.tif 000006
【図６】
0004266448.tif 000007